(57)【要約】  靴は、ソールと、ソールに固定されたアッパとを含む。ソールは、下側ソール部材と、ヒール部材と、シャンク部材と、ヒールクッションと、フットパッドとを有する。ヒール部材は、下側ソール部材から下方へ延びている。ヒール部材は、ヒール外側周面と、上側が開放したヒールキャビティとを有する。下側ソール部材は、上面と、上面から下方へ延びる下側ソールキャビティとを有する。シャンク部材は、シャンクミッドフット部分と、シャンクヒール部分とを有する。シャンクミッドフット部分は、下側ソールキャビティに位置しており、シャンクヒール部分は、ヒールキャビティに位置している。ヒールクッションはヒールキャビティに位置している。シャンクヒール部分は、ヒールクッションと、ヒール部材との間に挟まれている。
2019501738.tif 000002
【特許請求の範囲】
【請求項１】
靴であって、
ソールと、
該ソールに固定されたアッパとを含み、
前記ソールは、ソールヒール端部からソールトウ端部まで長手方向に延びておりかつソール外側縁部からソール内側縁部まで横方向に延びており、前記ソールは、ヒール領域と、ミッドフット領域と、母趾球領域と、トウ領域とを有し、前記ヒール領域は、前記ソールヒール端部から前記ミッドフット領域まで長手方向に延びており、前記ミッドフット領域は、前記ヒール領域から前記母趾球領域まで長手方向に延びており、前記母趾球領域は、前記ミッドフット領域から前記トウ領域まで長手方向に延びており、前記トウ領域は、前記母趾球領域から前記ソールトウ端部まで長手方向に延びており、前記ソールは、下側ソール部材と、ヒール部材と、シャンク部材と、ヒールクッションと、フットパッドとを有し、前記下側ソール部材は、前記ソールヒール端部から前記ソールトウ端部まで延びており、前記ヒール部材は、前記ヒール領域に位置しておりかつ前記下側ソール部材から下方へ延びており、前記ヒール部材は、ヒール外側周面と、上側が開放したヒールキャビティとを有し、該ヒールキャビティは、前記ヒール外側周面から離隔させられており、前記下側ソール部材は、上面と、該上面から下方へ延びる下側ソールキャビティとを有し、前記シャンク部材は、シャンクミッドフット部分と、シャンクヒール部分とを有し、前記シャンクミッドフット部分は、前記下側ソールキャビティに位置しており、前記シャンクヒール部分は、前記ヒールキャビティに位置しており、前記ヒールクッションは前記ヒールキャビティに位置しており、前記シャンクヒール部分は、前記ヒールクッションと、前記ヒール部材との間に挟まれており、前記フットパッドは、前記ソールヒール端部と、ソールトウ端部との間に延びておりかつヒールパッド部分と、ミッドフットパッド部分と、母趾球パッド部分と、トウパッド部分とを有し、前記ヒールパッド部分は、前記ヒールクッションの上に位置しておりかつ該ヒールクッションと接触しており、前記ミッドフットパッド部分は、前記シャンクミッドフット部分の上に位置しておりかつ該シャンクミッドフット部分と接触しており、前記ミッドフットパッド部分と、前記母趾球パッド部分と、前記トウパッド部分とは、前記下側ソールキャビティに位置しており、前記フットパッドは、前記アッパと接触した上面を有する、靴。
【請求項２】
前記下側ソール部材は、外側周面を有し、前記ソールは、さらに、ベニヤを有し、該ベニヤは、下側ソールベニヤ部分と、ヒールベニヤ部分とを有し、前記下側ソールベニヤ部分は、前記下側ソール部材の前記外側周面に沿って延びており、前記ヒールベニヤ部分は、前記ヒール外側周面に沿って延びている、請求項１記載の靴。
【請求項３】
前記下側ソールベニヤ部分は、天然皮革または合成皮革を含む、請求項２記載の靴。
【請求項４】
前記ヒールベニヤ部分は、天然皮革または合成皮革を含む、請求項３記載の靴。
【請求項５】
前記ヒールベニヤ部分は、木材を含む、請求項２記載の靴。
【請求項６】
前記下側ソール部材は、成形された構成であり、前記ヒール部材は、成形された構成である、請求項２記載の靴。
【請求項７】
前記ヒール部材は、前記下側ソール部材とは別個のワンピースの部材である、請求項６記載の靴。
【請求項８】
前記ヒール部材は、第１のジュロメータ硬さの第１の材料から成り、前記ヒールクッションは、第２のジュロメータ硬さの第２の材料から成り、前記フットパッドは、第３のジュロメータ硬さの第３の材料から成り、前記第１のジュロメータ硬さは前記第２のジュロメータ硬さよりも高く、該第２のジュロメータ硬さは前記第３のジュロメータ硬さよりも高い、請求項６記載の靴。
【請求項９】
前記下側ソール部材は、前記第１の材料から成る、請求項８記載の靴。
【請求項１０】
前記フットパッドは１つの層を含み、前記フットパッドの前記１つの層は、前記アッパおよび前記ヒールクッションと接触している、請求項８記載の靴。
【請求項１１】
前記フットパッドの前記１つの層は、前記シャンクミッドフット部分および前記下側ソール部材と接触している、請求項１０記載の靴。
【請求項１２】
前記第３の材料は、その場で硬化させられた発泡材である、請求項１１記載の靴。
【請求項１３】
前記下側ソールベニヤ部分は、天然皮革を含み、前記ヒールベニヤ部分は、天然皮革を含む、請求項１１記載の靴。
【請求項１４】
さらにウェルトを含み、該ウェルトは、前記下側ソール部材の外側周面に隣接しており、前記ウェルトは、前記ソールおよび前記アッパのうちの少なくとも一方に固定されている、請求項８記載の靴。
【請求項１５】
請求項２記載の靴を形成する方法であって、該方法は、
下側ソールベニヤ部分を型に配置し、
硬化性の第１の材料を前記型内へ射出し、前記型は、下側ソール部材を形成するための形状のものであり、
前記第１の材料を硬化させて前記下側ソール部材を形成し、
前記下側ソールベニヤ部分および前記下側ソール部材を前記型から取り出すことを含む、請求項２記載の靴を形成する方法。
【請求項１６】
さらに、ヒール部材を前記下側ソール部材に取り付け、
シャンクヒール部分がヒールキャビティに位置しかつシャンクミッドフット部分が前記下側ソールキャビティに位置するように、シャンク部材をヒール部材および前記下側ソール部材に対して配置し、
ヒールクッションをヒールキャビティへ挿入し、前記ヒールクッションは、前記第１の材料とは異なる第２の材料から成り、
前記下側ソールキャビティ内および前記ヒールクッションの上側へ硬化性の第３の材料を流し込み、
前記第３の材料を硬化させてフットパッドを形成し、
アッパをソールへ取り付けることを含む、請求項１５記載の方法。
【請求項１７】
前記下側ソール部材は、成形された構成であり、前記ヒール部材は、成形された構成である、請求項１記載の靴。
【請求項１８】
前記ヒール部材は、第１のジュロメータ硬さの第１の材料から成り、前記ヒールクッションは、第２のジュロメータ硬さの第２の材料から成り、前記フットパッドは、第３のジュロメータ硬さの第３の材料から成り、前記第１のジュロメータ硬さは前記第２のジュロメータ硬さよりも高く、該第２のジュロメータ硬さは前記第３のジュロメータ硬さよりも高い、請求項１７記載の靴。
【請求項１９】
前記下側ソール部材は、前記第１の材料から成る、請求項１８記載の靴。
【請求項２０】
前記フットパッドは１つの層を含み、前記フットパッドの前記１つの層は、前記アッパおよび前記ヒールクッションと接触している、請求項１記載の靴。
【請求項２１】
前記フットパッドの前記１つの層は、前記シャンクミッドフット部分および前記下側ソール部材と接触している、請求項２０記載の靴。
【請求項２２】
前記シャンクミッドフット部分は、複数のシャンク開口を有し、前記ミッドフットパッド部分は、前記シャンク開口のうちの少なくとも幾つかの中に配置されている、請求項１記載の靴。
【請求項２３】
靴であって、
ソールと、
該ソールに固定されたアッパとを含み、
前記ソールは、ソールヒール端部からソールトウ端部まで長手方向に延びておりかつソール外側縁部からソール内側縁部まで横方向に延びており、前記ソールは、ヒール領域と、ミッドフット領域と、母趾球領域と、トウ領域とを有し、前記ヒール領域は、前記ソールヒール端部から前記ミッドフット領域まで長手方向に延びており、前記ミッドフット領域は、前記ヒール領域から前記母趾球領域まで長手方向に延びており、前記母趾球領域は、前記ミッドフット領域から前記トウ領域まで長手方向に延びており、前記トウ領域は、前記母趾球領域から前記ソールトウ端部まで長手方向に延びており、前記ソールは、下側ソール部材と、ヒール部材と、シャンク部材と、ヒールクッションと、フットパッドとを有し、前記下側ソール部材は、前記ソールヒール端部から前記ソールトウ端部まで延びており、前記ヒール部材は、前記ヒール領域に位置しておりかつ前記下側ソール部材から下方へ延びており、前記ヒール部材は、ヒール外側周面と、上側が開放したヒールキャビティとを有し、該ヒールキャビティは、前記ヒール外側周面から離隔させられており、前記下側ソール部材は、上面と、該上面から下方へ延びる下側ソールキャビティとを有し、前記シャンク部材は、シャンクミッドフット部分と、シャンクヒール部分とを有し、前記シャンクミッドフット部分は、前記下側ソールキャビティに位置しており、前記シャンクヒール部分は、前記ヒールキャビティに位置しており、前記ヒールクッションは前記ヒールキャビティに位置しており、前記シャンクヒール部分は、前記ヒールクッションと、前記ヒール部材との間に挟まれており、前記フットパッドは、前記ソールヒール端部と、前記ソールトウ端部との間に延びておりかつヒールパッド部分と、ミッドフットパッド部分と、母趾球パッド部分と、トウパッド部分とを有し、前記ヒールパッド部分は、前記ヒールクッションの上に位置しており、前記ミッドフットパッド部分は、シャンクミッドフット部分の上に位置しており、前記ミッドフットパッド部分と、前記母趾球パッド部分と、前記トウパッド部分とは、前記下側ソールキャビティに位置しており、前記フットパッドは、前記アッパと接触した上面を有する、靴。
【請求項２４】
靴であって、
ソールと、
該ソールに固定されたアッパとを含み、
前記ソールは、ソールヒール端部からソールトウ端部まで長手方向に延びておりかつソール外側縁部からソール内側縁部まで横方向に延びており、前記ソールは、ヒール領域と、ミッドフット領域と、母趾球領域と、トウ領域とを有し、前記ヒール領域は、前記ソールヒール端部から前記ミッドフット領域まで長手方向に延びており、前記ミッドフット領域は、前記ヒール領域から前記母趾球領域まで長手方向に延びており、前記母趾球領域は、前記ミッドフット領域から前記トウ領域まで長手方向に延びており、前記トウ領域は、前記母趾球領域から前記ソールトウ端部まで長手方向に延びており、前記ソールは、下側ソール部材と、ヒール部材と、シャンク部材と、ヒールクッションとを有し、前記下側ソール部材は、前記ソールヒール端部から前記ソールトウ端部まで延びており、前記下側ソール部材は、上面と、底面と、外側周面とを有し、前記下側ソール部材は、前記ヒール領域において、貫通した開口を有し、前記下側ソール部材における前記開口は、前記下側ソール部材の前記外側周面から離隔させられており、前記ヒール部材は、前記ヒール領域に位置しておりかつ前記下側ソール部材から下方へ延びており、前記ヒール部材は、ヒール外側周面と、上側が開放したヒールキャビティとを有し、前記ヒールキャビティは、前記ヒール外側周面から離隔させられておりかつ前記下側ソール部材における前記開口と整列させられており、前記シャンク部材は、シャンクミッドフット部分を有し、該シャンクミッドフット部分は、前記ミッドフット領域に位置しておりかつ前記下側ソール部材の上に位置しており、前記ヒールクッションは、前記ヒールキャビティと、前記下側ソール部材における前記開口とに位置している、靴。
【請求項２５】
前記ソールは、さらに、ヒールベニヤ部分を有し、該ヒールベニヤ部分は、前記ヒール外側周面に沿って延びている、請求項２４記載の靴。
【請求項２６】
前記ヒールベニヤ部分は、天然皮革または合成皮革を含む、請求項２５記載の靴。
【請求項２７】
前記ヒールクッションは、上面を有し、該上面は、前記下側ソール部材の前記上面と概して同一面をなしている、請求項２４記載の靴。
【請求項２８】
前記ヒールクッションおよび前記シャンク部材は、前記アッパと接触している、請求項２４記載の靴。
【請求項２９】
前記下側ソール部材の前記上面の少なくとも一部は、前記アッパと接触している、請求項２８記載の靴。
【発明の詳細な説明】
【技術分野】
【０００１】
関連出願とのクロスリファレンス
本願は、ここで引用したことによりその全体が本明細書に組み込まれる、２０１６年１月１５日に出願された米国特許出願第１４／９９６９１６号明細書（U.S. Patent Application Serial No.14/996,916）の利益を請求する。
【０００２】
発明の背景
発明の分野
本発明は、ヒール部材を有する靴に関する。
【０００３】
発明の概要
発明の１つの態様は、ソールと、ソールに固定されたアッパとを含む靴である。ソールは、ソールヒール端部からソールトウ端部まで長手方向に延びており、ソール外側縁部からソール内側縁部まで横方向に延びている。ソールは、ヒール領域と、ミッドフット領域と、母趾球領域と、トウ領域とを有する。ヒール領域は、ソールヒール端部からミッドフット領域まで長手方向に延びている。ミッドフット領域は、ヒール領域から母趾球領域まで長手方向に延びている。母趾球領域は、ミッドフット領域からトウ領域まで長手方向に延びている。トウ領域は、母趾球領域からソールトウ端部まで長手方向に延びている。ソールは、下側ソール部材と、ヒール部材と、シャンク部材と、ヒールクッションと、フットパッドとを有する。下側ソール部材は、ソールヒール端部からソールトウ端部まで延びている。ヒール部材は、ヒール領域に位置しており、下側ソール部材から下方へ延びている。ヒール部材は、ヒール外側周面と、上側が開放したヒールキャビティとを有する。ヒールキャビティは、ヒール外側周面から離隔させられている。下側ソール部材は、上面と、上面から下方へ延びる下側ソールキャビティとを有する。シャンク部材は、シャンクミッドフット部分と、シャンクヒール部分とを有する。シャンクミッドフット部分は、下側ソールキャビティに位置しており、シャンクヒール部分は、ヒールキャビティに位置している。ヒールクッションはヒールキャビティに位置している。シャンクヒール部分は、ヒールクッションと、ヒール部材との間に挟まれている。フットパッドは、ソールヒール端部と、ソールトウ端部との間に延びており、ヒールパッド部分と、ミッドフットパッド部分と、母趾球パッド部分と、トウパッド部分とを有する。ヒールパッド部分は、ヒールクッションの上に位置しており、ヒールクッションと接触している。ミッドフットパッド部分は、シャンクミッドフット部分の上に位置しており、シャンクミッドフット部分と接触している。ミッドフットパッド部分と、母趾球パッド部分と、トウパッド部分とは、下側ソールキャビティに位置している。フットパッドは、アッパと接触した上面を有する。
【０００４】
発明の別の態様は、ソールと、ソールに固定されたアッパとを含む靴である。ソールは、ソールヒール端部からソールトウ端部まで長手方向に延びており、ソール外側縁部からソール内側縁部まで横方向に延びている。ソールは、ヒール領域と、ミッドフット領域と、母趾球領域と、トウ領域とを有する。ヒール領域は、ソールヒール端部からミッドフット領域まで長手方向に延びている。ミッドフット領域は、ヒール領域から母趾球領域まで長手方向に延びている。母趾球領域は、ミッドフット領域からトウ領域まで長手方向に延びている。トウ領域は、母趾球領域からソールトウ端部まで長手方向に延びている。ソールは、下側ソール部材と、ヒール部材と、シャンク部材と、ヒールクッションと、フットパッドとを有する。下側ソール部材は、ソールヒール端部からソールトウ端部まで延びている。ヒール部材は、ヒール領域に位置しており、下側ソール部材から下方へ延びている。ヒール部材は、ヒール外側周面と、上側が開放したヒールキャビティとを有する。ヒールキャビティは、ヒール外側周面から離隔させられている。下側ソール部材は、上面と、上面から下方へ延びる下側ソールキャビティとを有する。シャンク部材は、シャンクミッドフット部分と、シャンクヒール部分とを有する。シャンクミッドフット部分は、下側ソールキャビティに位置しており、シャンクヒール部分は、ヒールキャビティに位置している。ヒールクッションはヒールキャビティにある。シャンクヒール部分は、ヒールクッションと、ヒール部材との間に挟まれている。フットパッドは、ソールヒール端部と、ソールトウ端部との間に延びており、ヒールパッド部分と、ミッドフットパッド部分と、母趾球パッド部分と、トウパッド部分とを有する。ヒールパッド部分は、ヒールクッションの上に位置しており、ミッドフットパッド部分は、シャンクミッドフット部分の上に位置している。ミッドフットパッド部分と、母趾球パッド部分と、トウパッド部分とは、下側ソールキャビティに位置している。フットパッドは、アッパと接触した上面を有する。
【０００５】
発明の別の態様は、ソールと、ソールに固定されたアッパとを含む靴である。ソールは、ソールヒール端部からソールトウ端部まで長手方向に延びており、ソール外側縁部からソール内側縁部まで横方向に延びている。ソールは、ヒール領域と、ミッドフット領域と、母趾球領域と、トウ領域とを有する。ヒール領域は、ソールヒール端部からミッドフット領域まで長手方向に延びている。ミッドフット領域は、ヒール領域から母趾球領域まで長手方向に延びている。母趾球領域は、ミッドフット領域からトウ領域まで長手方向に延びている。トウ領域は、母趾球領域からソールトウ端部まで長手方向に延びている。ソールは、下側ソール部材と、ヒール部材と、シャンク部材と、ヒールクッションとを有する。下側ソール部材は、ソールヒール端部からソールトウ端部まで延びている。下側ソール部材は、上面と、底面と、外側周面とを有する。下側ソール部材は、ヒール領域に貫通した開口を有する。下側ソール部材における開口は、下側シール部材の外側周面から離隔させられている。ヒール部材は、ヒール領域にあり、下側ソール部材から下方へ延びている。ヒール部材は、ヒール外側周面と、上側が開放したヒールキャビティとを有する。ヒールキャビティは、ヒール外側周面から離隔させられており、下側ソール部材における開口と整列させられている。シャンク部材は、シャンクミッドフット部分を有する。シャンクミッドフット部分は、ミッドフット領域に位置しており、下側ソール部材の上に位置している。ヒールクッションは、ヒールキャビティと、下側ソール部材における開口とに位置している。
【０００６】
本発明の他の特徴及び利点、並びに発明の操作は、添付の図面を参照して以下に詳細に説明される。
【図面の簡単な説明】
【０００７】
【図１】本発明による靴の１つの実施の形態の斜視図であり、靴は、ソールと、アッパと、ウェルトとを有する。
【図２】アッパがソールおよびウェルトから分解された、図１に示された靴の斜視図である。
【図３】図２のソールの下側ソール部材とヒール部材との分解された斜視図である。
【図４】フットパッドと、ヒールクッションとを有する、図２に示されたソールの分解された斜視図である。
【図５】図２に示された下側ソール部材の平面図である。
【図６】図２に示された下側ソール部材の底面図である。
【図７】図５の線７−７の平面に沿って見た断面図である。
【図８】図２の線８−８の平面に沿って見た断面図である。
【図９】図５および図６に示されたタイプの下側ソール部材を製造するための型であり、型は、上側型構成部材と、下側型構成部材とを有する。
【図１０】図２の靴の製造プロセスを示す流れ図である。
【図１１】本発明による靴のための下側ソール部材の代替的な実施の形態である。
【０００８】
明細書および図面における参照符号は対応する物を示している。
【０００９】
詳細な説明
本発明による靴の１つの実施の形態は、図１〜図８において参照符号２０によって示されている。靴２０は、概して２２で示されたソールと、概して２４で示されたアッパと、概して２６で示されたウェルトとを有する。アッパ２４はソール２２に固定されている。ソール２２は、下側ソール部材２８と、ヒール部材３０と、シャンク部材３２と、ヒールクッション３４と、フットパッド３６とを有する。ソール２２は、ソールヒール端部３８からソールトウ端部４０まで長手方向に延びており、ソール外側縁部４２からソール内側縁部４４まで横方向に延びている。ソール２２は、ヒール領域４６と、ミッドフット領域４８と、母趾球領域５０と、トウ領域５２とを有する。ヒール領域４６は、ソールヒール端部３８からミッドフット領域４８まで長手方向に延びている。ミッドフット領域４８は、ヒール領域４６から母趾球領域５０まで長手方向に延びている。母趾球領域５０は、ミッドフット領域４８からトウ領域５２まで長手方向に延びている。トウ領域５２は、母趾球領域５０からソールトウ端部４０まで長手方向に延びている。ウェルト２６は、ソール２２およびアッパ２４のうちの少なくとも一方に固定されている。
【００１０】
図１〜図８の実施の形態において、下側ソール部材２８は、成形された構成のものである。下側ソール部材２８は、ショアーＡ硬さで６０〜６５の範囲のジュロメータ硬さ（押込み硬さの一種）を有する熱可塑性ポリウレタン材料などの、第１のジュロメータ硬さの第１の材料から成る。下側ソール部材２８は、ソールヒール端部３８からソールトウ端部４０まで延びている。下側ソール部材２８は、上面５４と、下側ソールキャビティ５６と、外側周面５８と、フランジ６０とを有する。下側ソールキャビティ５６は、上面５４から下方へ延びている。ソール２２は、下側ソールベニヤ部分６２をも有する。下側ソールベニヤ部分６２は、下側ソール部材２８の外側周面５８に沿って延びている。図７および図８に示したように、フランジ６０は、下側ソールベニヤ部分６２の下縁をカバーする（これにより保護し、隠す）ために、外側周面５８を超えて外方へ延びている。当業者は、ヒール部材３０が下側ソールベニヤ部分６２の下縁をカバーしている（これにより保護し、隠している）ので、フランジ６０をソール２２のヒール領域４６において省略できることを認識するであろう。ウェルト２６は、外側周面５８に隣接している。ウェルト２６は、下側ソール部材２８を上から見たときに下側ソールベニヤ部分６２の上縁が見えないように配置されている。下側ソールベニヤ部分６２は、天然皮革または合成皮革、木材またはその他の適切な材料を含む。下側ソール部材２８は、さらに、トウ領域５２におけるウェブ部分６４と、ヒール領域４６における貫通した開口５７とを有する。ウェブ部分６４は、上面５４から下方へ延びた複数の凹所を有する。下側ソール部材２８は熱可塑性ポリウレタン以外の材料のものであることができることが理解されるべきである。
【００１１】
図１〜図８の実施の形態において、ヒール部材３０は、成形された構成のものであり、下側ソール部材２８とは別個のワンピースの部材である。ヒール部材３０は、ショアーＡ硬さで７０〜７５の範囲のジュロメータ硬さを有する熱可塑性ポリウレタン材料などの、第２のジュロメータ硬さの第２の材料から成る。下側ソール部材２８は、第１のジュロメータ硬さの第１の材料以外の第２のジュロメータ硬さの第２の材料から成ることができることが理解されるべきである。ヒール部材３０は、ヒール領域４６に位置しており、下側ソール部材２８から下方へ延びている。ヒール部材３０は、ヒール外側周面６８と、上側が開放したヒールキャビティ７０と、ヒールベニヤ部分７２とを有する。ヒールキャビティ７０は、ヒール外側周面６８から離隔させられており、ヒールクッション３４はヒールキャビティ内に位置している。ヒールクッション３４は、ショアーＡ硬さで６０〜６５の範囲のジュロメータ硬さを有する熱可塑性ポリウレタン材料などの、第３のジュロメータ硬さの第３の材料から形成されている。ヒール部材３０の第２の材料の第２のジュロメータ硬さは、ヒールクッション３４の第３の材料の第３のジュロメータ硬さよりも高い（より硬い）。ヒールクッション３４は、上面７４を有する。上面７４は、シャンク部材３２のシャンクミッドフット部分７６と概して同一面をなしている。ヒールベニヤ部分７２は、ヒール外側周面６８に沿って延びている。ヒールベニヤ部分７２は、天然皮革または合成皮革、木材またはその他の適切な材料を含む。ヒール部材３０は、熱可塑性ポリウレタン以外の材料から成ることができ、ヒールクッション３４は、ポリウレタン以外の材料から成ることができることが理解されるべきである。
【００１２】
シャンク部材３２は、鋼から成る。シャンク部材３２は、ショアーＡ硬さで少なくとも８０のジュロメータ硬さを有するプラスチック材料など、鋼以外の材料から成ることができることが理解されるべきである。シャンク部材３２は、シャンクミッドフット部分７６と、シャンクヒール部分７８と、複数のシャンク開口８０とを有する。シャンクミッドフット部分７６は、下側ソールキャビティ５６に位置しており、シャンクヒール部分７８は、ヒールキャビティ７０に位置している。シャンクヒール部分７８は、ヒールクッション３４と、ヒール部材３０との間に挟まれている。
【００１３】
フットパッド３６は、ソールヒール端部３８と、ソールトウ端部４０との間に延びており、ヒールパッド部分８２と、ミッドフットパッド部分８４と、母趾球パッド部分８６と、トウパッド部分８８とを有する。フットパッド３６は、ショアーＡ硬さで３５〜４０の範囲のジュロメータ硬さを有するポリウレタン材料などの、第４のジュロメータ硬さの第４の材料から成る。ヒールクッション３４の第３の材料の第３のジュロメータ硬さは、フットパッド３６の第４の材料の第４のジュロメータ硬さよりも高い。フットパッド３６のポリウレタン材料は、その場で硬化させられた発泡材である。ヒールパッド部分８２は、ヒールクッション３４の上に位置している。ヒールパッド部分８２は、ヒールクッション３４と接触してもいる。ミッドフットパッド部分８４は、シャンクミッドフット部分７６の上に位置しており、シャンク開口８０のうちの少なくとも幾つかの中に配置されている。ミッドフットパッド部分８４は、シャンクミッドフット部分７６と接触してもいる。ミッドフットパッド部分８４と、母趾球パッド部分８６と、トウパッド部分８８とは、下側ソールキャビティ５６内に位置している。フットパッド３６は、アッパ２４と接触した上面９０を有する。この実施の形態において、フットパッド３６は、アッパ２４およびヒールクッション３４と接触した１つの層のみを有する。当業者は、フットパッド３６が、１つの層ではなく、複数の層を有することができることを理解するであろう。フットパッド３６が、ポリウレタン以外の材料から成ることができることが理解されるべきである。
【００１４】
図９は、下側ソール部材２８を形成するための形状の型９２を示している。型９２は、上側型構成部材９４と、下側型構成部材９６とを有する。図１０は、靴２０の製造を示す流れ図である。ボックス１００に示したように、下側ソールベニヤ部分６２を下側型構成部材９６に配置する。上側型構成部材９４を下側型構成部材９６の上に積み重ね、チャネル９８を通じて硬化性ＴＰＵ材料を型９２内へ射出する（ボックス１０２）。下側ソール部材２８を形成するようにＴＰＵを硬化させ（ボックス１０４）、下側ソールベニヤ部分６２および下側ソール部材を型９２から取り出す（ボックス１０６）。ボックス１０８において、複数のねじ（図示せず）によってヒール部材３０を下側ソール部材２８へ取り付ける。シャンクヒール部分７８がヒールキャビティ７０に位置しかつシャンクミッドフット部分７６が下側ソールキャビティ５６に位置するように、シャンク部材３２をヒール部材３０および下側ソール部材２８に対して配置する（ボックス１１０）。ヒールクッション３４をヒールキャビティ７０に挿入する（ボックス１１２）。次いで、硬化性ポリウレタンを、下側ソールキャビティ５６内およびヒールクッション３４の上側へ流し込む（ボックス１１４）。硬化性ポリウレタンは、複数のシャンク開口８０のうちの少なくとも幾つかへ流入する。フットパッド３６を形成するようにポリウレタンを硬化させ、フットパッドは、シャンク開口８０のうちの少なくとも幾つかの中に配置される（ボックス１１６）。アッパ２４をソール２２へ取り付ける（ボックス１１８）。
【００１５】
図１１は、ソール２２ａが、下側ソール部材２８ａの代替的な実施の形態と、シャンク部材３２ａの代替的な実施の形態とを有することを除き、図１〜図８に示されたソールと同様のソール２２ａを示している。簡略化のために、ソール２２ａの要素のための参照符号は、ソール２２ａのための参照符号が“ａ”の接頭辞を有することを除き、図１〜図８のソールの対応する要素と同じである。下側ソール部材２８ａは、上面５４ａと、底面５５ａと、外側周面５８ａとを有する皮革ソールである。下側ソール部材２８ａは、ソール２２ａのヒール領域において貫通した開口５７ａをも有する。下側ソール部材２８ａにおける開口５７ａは、外側周面５８ａから離隔させられている。ヒール部材３０ａは、ヒール領域にあり、下側ソール部材２８ａから下方へ延びている。ヒールキャビティ７０ａは、ヒール外側周面６８ａから離隔させられており、下側ソール部材２８ａにおける開口５７ａと整列させられている。ヒールベニヤ部分７２ａは、ヒール外側周面６８ａに沿って延びている。ヒールクッション３４ａの上面７４ａは、下側ソール部材２８ａの上面５４ａと概して同一面をなしている。シャンク部材３２ａは、ソール２２ａのミッドフット領域においてシャンクミッドフット部分７６ａを有する。シャンクミッドフット部分７６ａは、下側ソール部材２８ａの上に位置している。本発明による組み立てられた靴がソール２２ａを使用する場合、ヒールクッションと、シャンク部材３２ａと、下側ソール部材２８ａとがアッパと接触するように、ヒールクッション３４ａがヒールキャビティ７０ａおよび開口５７ａに設けられている。しかしながら、付加的な層がヒールクッション３４ａと、シャンク部材３２ａと、下側ソール部材２８ａと、アッパとの間に位置してもよいことが理解されるべきである。
【００１６】
請求項または発明の典型的な実施の形態の上記説明における本発明の要素を導入する場合、“含む”、“備える”および“有する”という用語は、無制限であることが意図されており、列挙された要素以外の付加的な要素が存在してもよいことを意味する。加えて、“部分”という用語は、それが修飾する物または要素のうちの幾つかまたは全てを意味するものと解されるべきである。さらに、第１、第２および第３などの識別子の使用は、限界の間におけるいかなる相対的位置または時間シーケンスを課す形式において解されるべきではない。
【図１】
2019501738.tif 000003
【図２】
2019501738.tif 000004
【図３】
2019501738.tif 000005
【図４】
2019501738.tif 000006
【図５】
2019501738.tif 000007
【図６】
2019501738.tif 000008
【図７】
2019501738.tif 000009
【図８】
2019501738.tif 000010
【図９】
2019501738.tif 000011
【図１０】
2019501738.tif 000012
【図１１】
2019501738.tif 000013
【国際調査報告】
2019501738.tif 000014